(57)【要約】      （修正有）【課題】分析時間全体に対して相対的に経過した時間を遠くからでも認識することができるガスクロマトグラフを提供する。【解決手段】ハウンジング１０と、ハウンジング１０の内部に配置されるカラム１１とを備えるガスクロマトグラフ用オーブン２と、カラム１１の入口端に試料を供給する試料気化室７０と、カラム１１の出口端に接続された検出器６０と、ガスクロマトグラフ用オーブン２及び検出器６０を制御する制御部２１と、入力操作される入力装置２２と、複数の発光ダイオード１９を備える。制御部２１は、複数の発光ダイオード１９の点灯及び消灯、又は、点灯の色を制御することにより、分析時間全体に対して相対的に経過した時間を示す。【選択図】図１
0003160422.tif 000002
【実用新案登録請求の範囲】
【請求項１】
ハウンジングと、前記ハウンジングの内部に配置されるカラムとを備えるガスクロマトグラフ用オーブンと、
前記カラムの入口端に試料を供給する試料気化室と、
前記カラムの出口端に接続された検出器と、
前記ガスクロマトグラフ用オーブン及び検出器を制御する制御部と、
入力操作される入力装置とを備えるガスクロマトグラフであって、
複数の発光ダイオードを備え、
前記制御部は、複数の発光ダイオードの点灯及び消灯、又は、点灯の色を制御することにより、分析時間全体に対して相対的に経過した時間、又は、試料個数全体に対して相対的に分析終了した試料個数を示すことを特徴とするガスクロマトグラフ。
【請求項２】
前記制御部は、分析を開始したときに全ての発光ダイオードを第一の色で点灯させ、時間が経過するに伴って発光ダイオードを１個ずつ第一の色から第二の色に変化させるように点灯させていき、分析が終了したときには全ての発光ダイオードを第二の色で点灯させることを特徴とする請求項１に記載のガスクロマトグラフ。
【請求項３】
前記制御部は、分析を開始したときに全ての発光ダイオードを消灯させ、時間が経過するに伴って発光ダイオードを１個ずつ点灯させていき、分析が終了したときには全ての発光ダイオードを点灯させることを特徴とする請求項１に記載のガスクロマトグラフ。
【請求項４】
前記複数の発光ダイオードは、前記ガスクロマトグラフ用オーブンの前面に設けられていることを特徴とする請求項１〜請求項３のいずれかに記載のガスクロマトグラフ。
【考案の詳細な説明】
【技術分野】
【０００１】
本考案は、ガスクロマトグラフに関する。
【背景技術】
【０００２】
ガスクロマトグラフでは、試料ガス（サンプル）が、キャリアガスに押されてカラムの入口端からカラム内に導入される。これにより、試料ガスに含まれる各測定物質は、カラム内を通過する間に時間軸方向に分離されて、カラムの出口端に到達することになる。このとき、試料ガスを所定の温度でカラム内を通過させるために、内部にカラムを収容して、カラムの温度を調節するガスクロマトグラフ用オーブンが用いられている（例えば、特許文献１参照）。
図３は、従来のガスクロマトグラフの一例の概略構成図である。また、図４は、図３に示すガスクロマトグラフ用オーブンの正面図である。
ガスクロマトグラフ１０１は、ガスクロマトグラフ用オーブン２と、試料が導入される試料気化室７０と、キャリアガスを供給するガス供給部５０と、検出器６０と、ガスクロマトグラフ用オーブン２及びガス供給部５０を制御するコンピュータ１２０とを備える。
【０００３】
コンピュータ１２０においては、ＣＰＵ（制御部）１２１やメモリ（記憶部）２４を備え、さらにキーボードやマウス等を有する入力装置２２と、表示装置２３とが連結されている。また、ＣＰＵ１２１が処理する機能をブロック化して説明すると、ヒータ１３等を制御する温度制御部２１ａと、表示装置２３を制御する表示制御部１２１ｂと、検出器６０からの信号を受信する分析制御部２１ｃとを有する。
入力装置２２は、分析者によって入力操作されるようになっており、例えば、一の試料を分析する際には、分析用流量Ｆ’と分析用温度Ｔ’と分析時間ｔ’とが入力される。
試料気化室７０は、分析者によって試料が導入されると、カラム１１の入口端に試料ガス（サンプル）を供給することができるようになっている。
【０００４】
ガスクロマトグラフ用オーブン２は、上下左右の４面の壁１２と、背面壁１６と、前面壁となる前面扉１５とで囲われた立方体形状のハウンジング１０を備え、ハウンジング１０の内部には、試料ガスが通過するカラム１１と、空気を循環させるラジアルファン１４と、空気を加熱するヒータ１３と、内部の温度Ｔを検出する温度センサ１８とが収容されるとともに、ハウンジング１０の外部には、ラジアルファン１４と回転軸を介して接続されたモータ１７が設けられている。
前面扉１５は、左端を軸として開閉可能に形成されており、分析者によって前面扉１５が開かれることにより、ハウンジング１０の内部に収容されたカラム１１と、別のカラムとを交換することができるようになっている。
また、背面壁１６の上部には、排気口（図示せず）が設けられており、排気口には、排気扉が開閉可能に形成されている。これにより、温度制御部２１ａによって排気扉が開かれることにより、内部の空気を排気口から外部に排出することができるようになっている。一方、背面壁１６の中部には、吸気口３３が設けられており、吸気口３３には、吸気扉３７が開閉可能に形成されている。これにより、温度制御部２１ａによって吸気扉３７が開かれることにより、外部の空気を吸気口３３から内部に導入することができるようになっている。
【０００５】
このようなガスクロマトグラフ用オーブン２によれば、分析する際に分析者が入力装置２２を用いて目的温度（分析用温度）Ｔ’と分析時間ｔ’とを入力することで、分析用温度Ｔ’と分析時間ｔ’とがメモリ２４に記憶され、メモリ２４に記憶された分析用温度Ｔ’と分析時間ｔ’とに基づいて、温度制御部２１ａがヒータ１３に通電電力を供給することによって空気を加熱して、モータ１７に通電電力を供給することによってラジアルファン１４を回転させて加熱された空気を循環させることにより、ハウンジング１０の内部を均一の分析用温度Ｔ’にすることができるようになっている。
このとき、温度制御部１２１ａは、温度センサ１８で検出された温度Ｔが分析用温度Ｔ’より低いときには、排気扉と吸気扉３７とを閉じるとともに、ヒータ１３への通電電力を上昇させることにより、空気を加熱していくことになる。
また、温度センサ１８で検出された温度Ｔが分析用温度Ｔ’より高くなったときには、ヒータ１３への通電電力を減少させるとともに、排気扉と吸気扉３７とを開けることにより、外部の室温の空気を吸気口３３から導入するとともに、加熱された一部の空気を排気口から外部に排出している。
【０００６】
表示装置２３は、液晶表示画面２３ａと１個の発光ダイオード（ＬＥＤ）２３ｂとを備える。そして、液晶表示画面２３ａと１個の発光ダイオード２３ｂとは、ガスクロマトグラフ用オーブン２の前面扉１５の右横に設けられている。
表示制御部１２１ｂは、メモリ２４に記憶された分析時間ｔ’に基づいて、液晶表示画面２３ａと１個のＬＥＤ２３ｂとを制御する。例えば、メモリ２４に記憶された分析時間ｔ’が６０分である場合に分析を開始したときに、分析時間の残り時間ｔ’「６０．０ｍｉｎ」を数値で液晶表示画面２３ａに表示するとともに、ＬＥＤ２３ｂを点滅させる。そして、時間が経過するに伴って分析時間の残り時間を減少させていく。よって、分析を開始してから３３分が経過したときには、図４に示すように液晶表示画面２３ａに「２７．０ｍｉｎ」を表示する。その後、分析が終了したときには、分析時間の残り時間を「０．０ｍｉｎ」と表示するとともに、ＬＥＤ２３ｂを消灯させる。
これにより、分析者は１日で多数の試料を分析する必要があるが、１個の試料を分析する分析時間（例えば、１０分〜１時間）が長いので、１個の試料の分析を開始させるとガスクロマトグラフ１０１の前から離れて、他の作業をしながら、ＬＥＤ２３ｂが点滅状態であるか或いは消灯状態であるかを確認している。
【先行技術文献】
【特許文献】
【０００７】
【特許文献１】特開平９−０６８５２０号公報
【考案の概要】
【考案が解決しようとする課題】
【０００８】
しかしながら、ガスクロマトグラフ１０１が一の試料を分析した後、分析が終了したにもかかわらず、ガスクロマトグラフ１０１は放置されることが多かった。つまり、分析者は、ＬＥＤ２３ｂの状態を頻繁に確認することはわずらわしく、たまにしかＬＥＤ２３ｂの状態を確認しないことが多かった。
また、液晶表示画面２３ａに残り時間が表示されているが、液晶表示画面２３ａの大きさが小さいので遠くからは数値を確認することができなかった。
そこで、本考案は、分析時間全体に対して相対的に経過した時間を遠くからでも認識することができることを目的とするものである。
【課題を解決するための手段】
【０００９】
上記課題を解決するためになされた本考案のガスクロマトグラフは、ハウンジングと、前記ハウンジングの内部に配置されるカラムとを備えるガスクロマトグラフ用オーブンと、前記カラムの入口端に試料を供給する試料気化室と、前記カラムの出口端に接続された検出器と、前記ガスクロマトグラフ用オーブン及び検出器を制御する制御部と、入力操作される入力装置とを備えるガスクロマトグラフであって、複数の発光ダイオードを備え、前記制御部は、複数の発光ダイオードの点灯及び消灯、又は、点灯の色を制御することにより、分析時間全体に対して相対的に経過した時間、又は、試料個数全体に対して相対的に分析終了した試料個数を示すようにしている。
【００１０】
本考案のガスクロマトグラフによれば、複数の発光ダイオードを備える。制御部は、複数の発光ダイオードの点灯及び消灯、又は、点灯の色を制御することにより、分析時間全体に対して相対的に経過した時間、又は、試料個数全体に対して相対的に分析終了した試料個数を示す。例えば、分析を開始したときに全ての発光ダイオードを消灯させ、時間が経過するに伴って発光ダイオードを１個ずつ点灯させていき、分析が終了したときには全ての発光ダイオードを点灯させる。これにより、点灯している発光ダイオードの個数が多ければ、ガスクロマトグラフの傍に行く準備をすることができる。
【考案の効果】
【００１１】
以上のように、本考案のガスクロマトグラフによれば、複数の発光ダイオードの点灯及び消灯、又は、点灯の色を制御することにより、分析時間全体に対して相対的に経過した時間、又は、試料個数全体に対して相対的に分析終了した試料個数を遠くからでも認識することができる。
【００１２】
（他の課題を解決するための手段および効果）
また、上記の考案において、前記制御部は、分析を開始したときに全ての発光ダイオードを第一の色で点灯させ、時間が経過するに伴って発光ダイオードを１個ずつ第一の色から第二の色に変化させるように点灯させていき、分析が終了したときには全ての発光ダイオードを第二の色で点灯させるようにしてもよい。
【００１３】
そして、上記の考案において、前記制御部は、分析を開始したときに全ての発光ダイオードを消灯させ、時間が経過するに伴って発光ダイオードを１個ずつ点灯させていき、分析が終了したときには全ての発光ダイオードを点灯させるようにしてもよい。
さらに、上記の考案において、前記複数の発光ダイオードは、前記ガスクロマトグラフ用オーブンの前面に設けられているようにしてもよい。
【図面の簡単な説明】
【００１４】
【図１】本考案に係るガスクロマトグラフの一例の概略構成図である。
【図２】図１に示すガスクロマトグラフ用オーブンの正面図である。
【図３】従来のガスクロマトグラフの一例の概略構成図である。
【図４】図３に示すガスクロマトグラフ用オーブンの正面図である。
【考案を実施するための形態】
【００１５】
以下、本考案の実施形態について図面を用いて説明する。なお、本考案は、以下に説明するような実施形態に限定されるものではなく、本考案の趣旨を逸脱しない範囲で種々の態様が含まれることはいうまでもない。
【００１６】
図１は、本考案に係るガスクロマトグラフの一例の概略構成図である。また、図２は、図１に示すガスクロマトグラフ用オーブンの正面図である。なお、上述したガスクロマトグラフ１０１と同様のものについては、同じ符号を付している。
ガスクロマトグラフ１は、ガスクロマトグラフ用オーブン２と、試料が導入される試料気化室７０と、キャリアガスを供給するガス供給部５０と、検出器６０と、ガスクロマトグラフ用オーブン２及びガス供給部５０を制御するコンピュータ２０とを備える。
【００１７】
ガスクロマトグラフ用オーブン２の前面扉１５の前面の上部には、発光ダイオード部１９が設けられている。発光ダイオード部１９は、２０個の発光ダイオード（ＬＥＤ）１９ａ〜１９ｔからなり、横一列に並べられている。各発光ダイオード（ＬＥＤ）１９ａ〜１９ｔは、黄色（第一の色）と赤色（第二の色）とに点灯することができるようになっている。
【００１８】
コンピュータ２０においては、ＣＰＵ（制御部）２１やメモリ（記憶部）２４を備え、さらにキーボードやマウス等を有する入力装置２２と、表示装置２３とが連結されている。また、ＣＰＵ２１が処理する機能をブロック化して説明すると、ヒータ１３等を制御する温度制御部２１ａと、表示装置２３及び発光ダイオード部１９を制御する表示制御部２１ｂと、検出器６０からの信号を受信する分析制御部２１ｃとを有する。
【００１９】
表示制御部２１ｂは、メモリ２４に記憶された分析時間ｔ’に基づいて、液晶表示画面２３ａと１個のＬＥＤ２３ｂと発光ダイオード部１９とを制御する。
例えば、メモリ２４に記憶された分析時間ｔ’が６０分である場合に分析を開始したときに、分析時間の残り時間ｔ’「６０．０ｍｉｎ」を数値で液晶表示画面２３ａに表示するとともに、ＬＥＤ２３ｂを点滅させる。さらに、２０個の発光ダイオード１９ａ〜１９ｔを黄色（第一の色）に点灯させる。
そして、時間が経過するに伴って分析時間の残り時間を減少させていく。また、時間が経過するに伴って２０個の発光ダイオード１９ａ〜１９ｔの内の一番左の発光ダイオードから順番に１個ずつ黄色（第一の色）から赤色（第二の色）に変化させるように点灯させていく。よって、分析を開始してから３３分が経過したときには、図２に示すように液晶表示画面２３ａに「２７．０ｍｉｎ」を表示するとともに、１１個の発光ダイオード１９ａ〜１９ｋを赤色（第二の色）に点灯させ、９個の発光ダイオード１９ｌ〜１９ｔを黄色（第一の色）に点灯させる。
【００２０】
さらに、分析を開始してから５４分が経過したときには、液晶表示画面２３ａに「６．０ｍｉｎ」を表示するとともに、１８個の発光ダイオード１９ａ〜１９ｒを赤色（第二の色）に点灯させ、２個の発光ダイオード１９ｓ〜１９ｔを黄色（第一の色）に点灯させる。
その後、分析が終了したときには、分析時間の残り時間を「０．０ｍｉｎ」と表示するとともに、ＬＥＤ２３ｂを消灯させる。さらに、２０個の発光ダイオード１９ａ〜１９ｔを赤色（第二の色）に点灯させる。
【００２１】
以上のように、ガスクロマトグラフ１によれば、分析者は１日で多数の試料を分析する必要があるが、１個の試料を分析する分析時間（例えば、１０分〜１時間）が長いので、１個の試料の分析を開始させるとガスクロマトグラフ１の前から離れて、分析者は他の作業をしながら、２０個の発光ダイオード１９ａ〜１９ｔの内のいくつの発光ダイオードが赤色（第二の色）に点灯しているかを確認することで、分析時間全体ｔ’に対して相対的に経過した時間を遠くからでも認識することができる。
【００２２】
（他の実施形態）
（１）上述したガスクロマトグラフ１では、分析を開始したときに全ての発光ダイオードを第一の色（黄色）で点灯させ、時間が経過するに伴って発光ダイオードを１個ずつ第一の色（黄色）から第二の色（赤色）に変化させるように点灯させていき、分析が終了したときには全ての発光ダイオードを第二の色（赤色）で点灯させる構成を示したが、分析を開始したときに全ての発光ダイオードを消灯させ、時間が経過するに伴って発光ダイオード１９を１個ずつ点灯させていき、分析が終了したときには全ての発光ダイオード１９を点灯させているような構成としてもよい。
【００２３】
（２）上述したガスクロマトグラフ１では、一の試料を分析する際に入力された分析時間ｔ’に基づいて、時間が経過するに伴って発光ダイオードを１個ずつ第一の色（黄色）から第二の色（赤色）に変化させるように点灯させていく構成を示したが、複数の試料を連続して分析する際に入力された試料個数に基づいて、分析終了した試料個数に伴って発光ダイオードを１個ずつ第一の色（黄色）から第二の色（赤色）に変化させるように点灯させていくような構成としてもよい。
【産業上の利用可能性】
【００２４】
本考案は、ガスクロマトグラフに利用することができる。
【符号の説明】
【００２５】
１  ガスクロマトグラフ
２  ガスクロマトグラフ用オーブン
１０  ハウンジング
１１  カラム
１３  ヒータ
１４  ファン
１９  発光ダイオード部
２１  制御部
２２  入力装置
２４  メモリ（記憶部）
５０  ガス供給部
６０  検出器
７０  試料気化室
【図１】
0003160422.tif 000003
【図２】
0003160422.tif 000004
【図３】
0003160422.tif 000005
【図４】
0003160422.tif 000006